(57)【要約】【課題】同時に通話撮影を有し、使用上の便利性が向上する広角撮影及び直立機能を備えたネットワーク電話を提供する。【解決手段】本体と本体の下部に設けた底台とを備え、底台は本体に対して角度調整可能に枢支され、本体は底台開脚ボタンと、撮影角度を調整可能なカメラ底台と、カメラ底台に組み込んだ光学レンズと、レンズの焦点距離を調整するフォカス調整ノブと、受信機と、手持ち不要及び受信ベル音の発声機能を備えたスピーカと、マイクとを備える。【選択図】図２
0003137616.tif 000002
【実用新案登録請求の範囲】
【請求項１】
広角撮影及び直立機能を備えたネットワーク電話であって、
直方体を呈する本体と、本体の下部に設けた底台とを具備し、
前記底台を角度調整をして平面の上に平らに置くことができるように、前記底台は本体の下部に枢軸を用いて回動自在に枢支され、
前記本体はその裏面に設けられ、底台を展開する底台開脚ボタンと、
前記本体の上部に枢軸を介して枢支されて撮影角度を調整することができるカメラ底台と、
前記カメラ底台には動的プレビュー可能な光学レンズが嵌め込まれるとともに、手動でレンズの位置または形態を調整し、レンズの焦点距離を調整して明晰な影像を生じるフォカス調整ノブが設けられ、
受話機、手持ち不要及び受信ベル音の発声機能を備えたスピーカと、
雑音フィルター機能を備えたマイクと、
前記本体に接続されたＵＳＢコネクターとを備えたことを特徴とする、
広角撮影及び直立機能を備えたネットワーク電話。
【請求項２】
更に本体に設けられ、機体の操作状態を表す少なくとも一つの表示ランプと、ネットワーク電話を直接コントロールすることができ、その他ＶｏｌＰソフトはＰＣ端からコントロールして切らなければならなく、ＵＳＢ音声信号に類似した機能だけを備えた電話切りボタンと、ワンタッチで手持ち／手持ち不要モードの切り替えをする手持ち不要ボタンとを備えたことを特徴とする、請求項１記載の広角撮影及び直立機能を備えたネットワーク電話。
【請求項３】
更にワンタッチ録音機能と、すべてのＶｏｌ  Ｐソフトの通話中の録音を支援し、並びに単独の録音ソフトを備えたことを主要機能とする録音ボタンと、
前記本体の一側辺中間個所に設けられ、手持ち状態に於いてボリュームを選択することができ、手持ち不要の状態に於いてスピーカのボリュームをコントロールすることができ、手持ち／手持ち不要モード切り替え時は手持ちの内定ボリュームを快適音量に自動的に調整することを主要機能とするボリュームボタンと、前記本体の別の一側辺中間個所に位置し、通話中にこの機能を始動することを主要機能とする静音ボタンと、ネットワーク電話を直接コントロールすることができ、その他Ｖｏｌ  ＰソフトはＰＣ端からコントロールして受けなければならなく、ＵＳＢ音声信号に類似した機能だけを備えた受話ボタンとを備えたことを特徴とする、請求項１記載の広角撮影及び直立機能を備えたネットワーク電話。
【請求項４】
更にカメラの外部に設けられ、外在的影像に対して光学的フォーカス合わせを行うレンズと、レンズが感光した影像をそれに投射し、光学的影像を電子影像に成像し、成像した後はディジタル映像信号に転換する光学センサーと、光学センサーからの信号をディジタル信号に転換し、更にそのディジタル信号をコンピュータに伝送し、コンピュータの関連映像処理ユニットによって必要とする影像処理を行うビデオエンコーダーとを備えたことを特徴とする、請求項１記載の広角撮影及び直立機能を備えたネットワーク電話。
【請求項５】
更に電話の前端に位置し、発声者の話した声を受けるマイクと、前記マイクに接続され、静音または通話状態を切り替えるスイッチと、前記スイッチに接続されてエコーの濾過に用い、音声は前記スイッチを経てからそれに進入するエコー除去器と、前記エコー除去器に接続され、アナログディジタル転換器であって元来のアナログ音声信号をディジタル音声信号に転換することができ、その後は音声信号をコンピュータの関連信号処理ユニットに伝送する音声信号デコーダーとを備えたことを特徴とする、請求項１記載の広角撮影及び直立機能を備えたネットワーク電話。
【請求項６】
更にコンピュータから発送されたディジタル音声信号を受信してディジタル音声信号をアナログ音声信号に転換するディジタルアナログ転換器と、前記ディジタルアナログ転換器からの信号ボリュームを拡大または縮小し、ボリュームを違う等級に仕分けるオーディオアンプリファイヤーと、前端に位置するツイーターを含み、前記オーディオアンプリファイヤーからの信号の出力に用いるスピーカとを備えたことを特徴とする、請求項１記載の広角撮影及び直立機能を備えたネットワーク電話。
【請求項７】
前記撮影レンズはＶＧＡレンズであることを特徴とする、請求項１記載の広角撮影及び直立機能を備えたネットワーク電話。
【考案の詳細な説明】
【技術分野】
【０００１】
本考案はネットワーク電話に関し、特に広角撮影及び直立機能を備えたネットワーク電話に関するものである。
【背景技術】
【０００２】
現在ネットワーク電話は通話費用が一般の有線または無線電話より遥かに低廉であるため、主流な通話方式になっている。
またコンピュータの応用普及率の増加に伴い、今後もネットワーク電話の普及率がますます高くなるものと予想されている。
【０００３】
ネットワーク電話は音声通話の他に、ネットワークを通じた即時影像伝送も可能であるためコンピュータ使用者に大いに応用されている。
伝統的な即時影像伝送方式はカメラのレンズをコンピュータの上側または卓上のある位置に固定し、伝送したい影像を撮影している。
このような方式は常に撮りたい影像角度とカメラのレンズの撮影角度をうまく組み合わせることが難しく、撮りたい影像に対して不便である。
使用者は往々にして撮影対象の撮影角度を調整したり、カメラのレンズの向きを変えなければならない。
【０００４】
また電話が手持されていない状況では、往々にして卓上または他の位置に置かれる。
このような形態は影像及び音声の捕捉角度が理想的とは言えず、しかも電話機の位置が低いので容易に影像を捕捉することができないといった問題点がある。
【０００５】
前記したように、伝統的なネットワーク電話にあっては、電話機に対して多くの使用者が不便さを感じるといった問題が存在する。そのため、斬新な設計をもって従来技術の問題点を改善して、使用者の便利性を増進する必要がある。
【考案の開示】
【考案が解決しようとする課題】
【０００６】
本考案は前記した従来技術の問題点に鑑みてなされたもので、本考案が目的とするところは、同時撮影機能を備え、かつレンズの入力角度を調整することができるとともに、ネットワーク電話に伴って簡易に撮影場所に置くことができる広角撮影及び直立機能を備えたネットワーク電話を提供することにある。
本考案の他の目的は、小型軽量化が図れるとともに、直立状態に設置できて操作性と便利性に優れた広角撮影及び直立機能を備えたネットワーク電話を提供することにある。
【課題を解決するための手段】
【０００７】
本願の第１考案は、広角撮影及び直立機能を備えたネットワーク電話であって、直方体を呈する本体と、本体の下部に設けた底台とを具備し、前記底台を角度調整をして平面の上に平らに置くことができるように、前記底台は本体の下部に枢軸を用いて回動自在に枢支され、前記本体はその裏面に設けられ、底台を展開する底台開脚ボタンと、前記本体の上部に枢軸を介して枢支されて撮影角度を調整することができるカメラ底台と、前記カメラ底台には動的プレビュー可能な光学レンズが嵌め込まれるとともに、手動でレンズの位置または形態を調整し、レンズの焦点距離を調整して明晰な影像を生じるフォカス調整ノブが設けられ、受話機、手持ち不要及び受信ベル音の発声機能を備えたスピーカと、雑音フィルター機能を備えたマイクと、前記本体に接続されたＵＳＢコネクターとを備えたことを特徴とする、広角撮影及び直立機能を備えたネットワーク電話を提供する。
本願の第２考案は、更に本体に設けられ、機体の操作状態を表す少なくとも一つの表示ランプと、ネットワーク電話を直接コントロールすることができ、その他ＶｏｌＰソフトはＰＣ端からコントロールして切らなければならなく、ＵＳＢ音声信号に類似した機能だけを備えた電話切りボタンと、ワンタッチで手持ち／手持ち不要モードの切り替えをする手持ち不要ボタンとを備えたことを特徴とする、前記第１考案に記載の広角撮影及び直立機能を備えたネットワーク電話を提供する。
本願の第３考案は、更にワンタッチ録音機能と、すべてのＶｏｌ  Ｐソフトの通話中の録音を支援し、並びに単独の録音ソフトを備えたことを主要機能とする録音ボタンと、前記本体の一側辺中間個所に設けられ、手持ち状態に於いてボリュームを選択することができ、手持ち不要の状態に於いてスピーカのボリュームをコントロールすることができ、手持ち／手持ち不要モード切り替え時は手持ちの内定ボリュームを快適音量に自動的に調整することを主要機能とするボリュームボタンと、前記本体の別の一側辺中間個所に位置し、通話中にこの機能を始動することを主要機能とする静音ボタンと、ネットワーク電話を直接コントロールすることができ、その他Ｖｏｌ  ＰソフトはＰＣ端からコントロールして受けなければならなく、ＵＳＢ音声信号に類似した機能だけを備えた受話ボタンとを備えたことを特徴とする、前記第１考案に記載の広角撮影及び直立機能を備えたネットワーク電話を提供する。
本願の第４考案は、更にカメラの外部に設けられ、外在的影像に対して光学的フォーカス合わせを行うレンズと、レンズが感光した影像をそれに投射し、光学的影像を電子影像に成像し、成像した後はディジタル映像信号に転換する光学センサーと、光学センサーからの信号をディジタル信号に転換し、更にそのディジタル信号をコンピュータに伝送し、コンピュータの関連映像処理ユニットによって必要とする影像処理を行うビデオエンコーダーとを備えたことを特徴とする、前記第１考案に記載の広角撮影及び直立機能を備えたネットワーク電話を提供する。
本願の第５考案は、更に電話の前端に位置し、発声者の話した声を受けるマイクと、前記マイクに接続され、静音または通話状態を切り替えるスイッチと、前記スイッチに接続されてエコーの濾過に用い、音声は前記スイッチを経てからそれに進入するエコー除去器と、前記エコー除去器に接続され、アナログディジタル転換器であって元来のアナログ音声信号をディジタル音声信号に転換することができ、その後は音声信号をコンピュータの関連信号処理ユニットに伝送する音声信号デコーダーとを備えたことを特徴とする、前記第１考案に記載の広角撮影及び直立機能を備えたネットワーク電話を提供する。
本願の第６考案は、更にコンピュータから発送されたディジタル音声信号を受信してディジタル音声信号をアナログ音声信号に転換するディジタルアナログ転換器と、前記ディジタルアナログ転換器からの信号ボリュームを拡大または縮小し、ボリュームを違う等級に仕分けるオーディオアンプリファイヤーと、前端に位置するツイーターを含み、前記オーディオアンプリファイヤーからの信号の出力に用いるスピーカとを備えたことを特徴とする、前記第１考案に記載の広角撮影及び直立機能を備えたネットワーク電話を提供する。
本願の第７考案は、前記撮影レンズはＶＧＡレンズであることを特徴とする、前記第１考案に記載の広角撮影及び直立機能を備えたネットワーク電話を提供する。
【考案の効果】
【０００８】
本考案に係る広角撮影及び直立機能を備えたネットワーク電話は、同時撮影の機能を備え、かつレンズの入力角度を適当に調整することができる。
さらに、ネットワーク電話に伴って軽易に撮影場所に置くことができる。
さらにまた、操作が便利で、小型軽量化が可能である。
また本考案のネットワーク電話は直立機能があるため、立った姿で置くことができ、使用するうえでの便利性を高めることが可能である。
【考案を実施するための最良の形態】
【０００９】
以降に図面を参照しながら本考案に係るネットワーク電話の最適な実施の形態について説明する。
【００１０】
図１〜図８を参照して説明する。
本考案の説明に際し、ＵＳＢコネクターについては図１０中に示すが、図１〜図８においては便宜上ＵＳＢコネクターの図示を省略する。
【００１１】
本考案に係る広角撮影及び直立機能を備えたネットワーク電話は、少なくとも本体２とカメラ底台２１とを具備する。
【００１２】
本体２は大方長い四方形（直方体）である。
本体２の後下側には底台７が位置する。
底台７の下側は本体２に連接し、かつ底部に位置する枢軸７１によって本体２に対して相対的に回動するように枢支されている。
本体２に対して底台７が折り畳み式になっていて、底台７を展開して底台７の角度を調整することで、本体２を平らな面に置くことができる。
そのために前記本体２は卓上等の平面に立たせることができる。
この場合、使用者はその電話機を持たなくても話すことができる。
前記本体２の裏面には底台開脚ボタン８が設けられ、底台開脚ボタン８を押すことで底台７が弾性的に展開するようになっている。
この底台開脚ボタン８を応用すれば本考案の電話機の底台７を軽易に開閉操作をすることができる。
【００１３】
本体２の上部にはカメラ底台２１が配設されている。
前記カメラ底台２１は全体が略四辺体を呈し、カメラ底台２１の両端のに設けた枢軸２６によって回りながら撮影角度を調整することができる。
カメラ底台２１は例えば＋／−３０度の範囲内で調整可能である。
カメラ底台２１の中間個所にはレンズ２２が嵌め込まれている。
レンズ２２は例えば３０万画素のＶＧＡレンズであり、それは動的プレビューが可能な、静的撮影の挿入補足点は１．３Ｍである光学レンズ２００を含む。
カメラ底台２１には手動でレンズの位置または形態を調整するフォカス調整ノブ２３が設けられていて、レンズの焦点距離を調整して明晰な影像を得ることができる。
本考案は更に１．３Ｍの影像を直接摘み取る静止撮影ボタン２４を含む。
【００１４】
本考案に係るネットワーク電話の音声システムは、少なくともスピーカ４とマイク５を含む。
スピーカ４は、本体２の上側に配設される。
スピーカ４の主な機能は手持ち受信、手持ち不要、受信ベル音の発音機能を備える。ハードウェアー回路はエコー除去処理を行っている。
本体２の下側にはマイク５が設けられている。マイク５の受信距離は最少５メータで、雑音濾過機能を備える。
【００１５】
この外に、本考案に係るネットワーク電話は更に次のランプとボタンを備える。これらの部品は使用者の操作に助力し、使用者はより便利な操作方式をもって必要な機能を選択するものであって必須ではない。
【００１６】
ＬＥＤ表示ランプ６０は本体２の一側辺に設けられ、電話機の受信等操作状態を表示することができる。
【００１７】
ボリュームボタン６１は本体２の一側辺の中間個所に設けられる。
ボリュームボタン６１の主要な機能は手持ち状態に於いてボリュームを選択することであり、例えば本考案ではボリュームを１−３２級の等級に分けることができる。手持ち不要（ｈａｎｄ−ｆｒｅｅ）の状態ではスピーカのボリュームを例えば１−３２級の等級に分けることができる。
手持ち／手持ち不要の切り替え時は、手持ち時の内定ボリュームを快適なボリューム、例えば１５または１６級に維持しなければならない。
【００１８】
静音ボタン６２、それは本体の別の側辺中間個所に位置し、そのボタンの主要機能は通話中にこの機能を始動させることができる。
【００１９】
受話ボタン６３はネットワーク電話、例えばｓｋｙｐｅネットワーク電話を直接コントロールすることができ、その他語音協定（ＶｏｌＰ）ソフトはすべてＰＣ端からコントロールして受話しなければならなく、ＵＳＢ音声信号に類似した機能だけを備える。
【００２０】
受話切りボタン６４はｓｋｙｐｅを直接コントロールすることができる。
その他、ＶｏｌＰソフトすべてはＰＣ端からコントロールして切らなければならなく、ＵＳＢオーディオに類似した機能だけを備える。
【００２１】
手持ち不要ボタン６５はワンタッチで手持ち／手持ち不要モードを切り替えることができる。録音ボタンの主要機能はワンタッチ録音機能６６、すべてのＶｏｌＰソフトの通話中の録音を支援する単独の録音ソフトを含む。
【００２２】
次に図９に基づいて本考案のシステムエレメント（ｓｙｓｔｅｍ  ｅｌｅｍｅｎｔ）の配置方式を説明する。
【００２３】
本考案中の影像システムを以下に説明する。
カメラの外端に外在影像に対して工学的な焦点合わせ作用を行う光学レンズ２００が備えてある。
レンズを経てレンズが感光した影像を感知ＩＣ（例えばＣＭＯＳアレイ（ａｒｒａｙ）またはＣＣＤ）２１０に投影し、光学影像を電子影像に成像し、感知ＩＣによって成像した後ディジタル影像信号に転換する。前記信号は更にビデオエンコーダー２２０を経てディジタル信号に変更する。このディジタル信号は更にコンピュータに伝送されてコンピュータの関連影像処理エレメントによって必要な影像処理を行う。
【００２４】
本考案のオーディオ処理システムは電話機の前端に発声者の話した音声を受けることに用いられる高感度のマイク５が備えられる。
その音声はアナログ信号の型式であり、マイクの後端には静音または通話状態を切り替えるスイッチ１００が備えられる。
スイッチ１００の後にはエコーを濾過するエコー除去器１０１が接続される。音声はスイッチ１００及びエコー除去器１０１を通った後は音声信号デコーダー１０２へ送られる。
前記音声信号デコーダー１０２はアナログディジタル転換器であって、元来のアナログ音声信号をディジタル音声信号に転換することができる。その後は音声信号をコンピュータの関連信号処理ユニットに伝送される。
【００２５】
この外、コンピュータ端から発送されるディジタル音声信号も当システムを経て発送することができる。
その方法は先ずコンピュータの音声信号を当システムのディジタルアナログ転換器３００に伝送し、ディジタル音声信号をアナログ音声信号に転換し、それからアナログ信号をオーディオアンプリファイヤー３０１へ伝送してボリュームを拡大または縮小し、ボリュームはアナログの型式をもって違う等級に仕分けられる。
音声信号はオーディオアンプリファイヤー３０１を通ってスピーカ３０２へ進入し、スピーカ前端のツイーター４から出力される。
【００２６】
図１０に示すように、本考案のネットワーク電話はＵＳＢコネクター８０をもってコンピュータに連接される。
【００２７】
以上の説明は本考案の最適な実施例の説明であり、これらの記載は本考案の請求範囲を制限するものではなく、およそ本考案の技術精神を離脱しない範囲で行なわれる同等効果が得られる実施または変更を含むものである。
【図面の簡単な説明】
【００２８】
【図１】本考案に係るネットワーク電話の立体図。
【図２】底台が開放状態にある本考案に係るネットワーク電話の応用立体図。
【図３】本考案に係るネットワーク電話の前面図。
【図４】本考案に係るネットワーク電話の裏面図。
【図５】本考案に係るネットワーク電話の右側面図。
【図６】本考案に係るネットワーク電話の左側面図。
【図７】本考案に係るネットワーク電話の上面図。
【図８】本考案に係るネットワーク電話の底面図。
【図９】本考案に係るネットワーク電話のエレメントブロックダイアグラム。
【図１０】ＵＳＢコネクターを含む本考案に係るネットワーク電話の立体図。
【符号の説明】
【００２９】
２      本体
４      ツイーター
５      マイク
７      底台
８      底台開脚ボタン
２１    カメラ底台
２２    撮影レンズ
２３    フォカス調整ノブ
２４    静止態撮影摘み取りボタン
２６    枢軸
６０    ＬＥＤ表示ランプ
６１    ボリュームボタン
６２    静音ボタン
６３    受話ボタン
６４    受話切りボタン
６５    手持ち不要ボタン
６６    ワンタッチ録音機能
７１    枢軸
８０    ＵＳＢコネクター
１００  スイッチ
１０１  エコー除去器
１０２  音声信号デコーダー
２００  光学レンズ
２１０  影像センサー
２２０  ビデオ信号エンコード転換器
３００  ディジタルアナログ転換器
３０１  音声信号アンプリファイヤー
３０２  スピーカ
５００  コンピュータ
【図１】
0003137616.tif 000003
【図２】
0003137616.tif 000004
【図３】
0003137616.tif 000005
【図４】
0003137616.tif 000006
【図５】
0003137616.tif 000007
【図６】
0003137616.tif 000008
【図７】
0003137616.tif 000009
【図８】
0003137616.tif 000010
【図９】
0003137616.tif 000011
【図１０】
0003137616.tif 000012